【手続補正書】
【提出日】平成29年2月3日(2017.2.3)
【手続補正１】
【補正対象書類名】特許請求の範囲
【補正対象項目名】全文
【補正方法】変更
【補正の内容】
【特許請求の範囲】
【請求項１】
複数のチャネルまたは複数のオブジェクトの符号化されたオーディオ信号、および所定の時間における各前記オーディオ信号の優先度情報を取得する取得部と、
前記優先度情報に基づいて、前記優先度情報に応じた所定の数のチャネルまたはオブジェクトの前記符号化されたオーディオ信号を復号するオーディオ信号復号部と
を備える復号装置。
【請求項２】
前記オーディオ信号復号部は、前記優先度情報により示される優先度合いが所定の度合い以上である、前記符号化されたオーディオ信号を復号する
請求項１に記載の復号装置。
【請求項３】
前記取得部は、前記所定の時間における前記複数のチャネルまたは前記複数のオブジェクトのオーディオ信号の前記優先度情報に基づいて、前記所定の度合いを変更する
請求項２に記載の復号装置。
【請求項４】
前記取得部は、前記オーディオ信号ごとに複数の前記優先度情報を取得し、
前記オーディオ信号復号部は、前記複数の前記優先度情報のなかから選択された１つの前記優先度情報に基づいて、前記符号化されたオーディオ信号を復号する
請求項１乃至請求項３の何れか一項に記載の復号装置。
【請求項５】
前記複数の前記優先度情報は、前記符号化されたオーディオ信号の復号側の計算能力に応じて、前記計算能力ごとに生成されたものである
請求項４に記載の復号装置。
【請求項６】
前記符号化されたオーディオ信号に基づいて、前記優先度情報を生成する優先度情報生成部をさらに備える
請求項１乃至請求項５の何れか一項に記載の復号装置。
【請求項７】
前記優先度情報生成部は、前記符号化されたオーディオ信号から得られる、オーディオ信号の音圧またはスペクトル形状に基づいて前記優先度情報を生成する
請求項６に記載の復号装置。
【請求項８】
前記オーディオ信号復号部は、チャネルごとまたはオブジェクトごとに、前記所定の時間の前記優先度情報と、前記所定の時間よりも前または後の時間の前記優先度情報とに基づいて、前記所定の時間の前記符号化されたオーディオ信号を復号するかを選択する
請求項１に記載の復号装置。
【請求項９】
前記復号が行われた場合、前記復号により得られた信号を出力信号とし、前記復号が行われなかった場合、０データを出力信号として、チャネルごとまたはオブジェクトごとに、前記所定の時間の前記出力信号と、前記所定の時間よりも前または後の時間の前記出力信号とを加算して前記所定の時間のオーディオ信号を生成する加算部と、
チャネルごとまたはオブジェクトごとに、前記所定の時間の前記優先度情報と、前記所定の時間よりも前または後の時間の前記優先度情報とに基づいて、前記所定の時間のオーディオ信号のゲイン調整を行うゲイン調整部と
をさらに備える請求項１に記載の復号装置。
【請求項１０】
チャネルごとまたはオブジェクトごとに、前記所定の時間の前記優先度情報と、前記所定の時間よりも前または後の時間の前記優先度情報とに基づいて、高域のパワー値をゲイン調整するとともに、ゲイン調整された前記パワー値と、前記所定の時間のオーディオ信号とに基づいて、前記所定の時間のオーディオ信号の高域成分を生成する高域生成部をさらに備える
請求項９に記載の復号装置。
【請求項１１】
チャネルごとまたはオブジェクトごとに、高域のパワー値と、前記所定の時間のオーディオ信号とに基づいて、高域成分が含まれる前記所定の時間のオーディオ信号を生成する高域生成部をさらに備え、
前記ゲイン調整部は、高域成分が含まれる前記所定の時間のオーディオ信号のゲイン調整を行う
請求項９に記載の復号装置。
【請求項１２】
前記所定の時間の前記優先度情報に基づいて、オブジェクトのオーディオ信号を複数の各チャネルに所定のゲイン値で割り当てて、前記複数の各チャネルのオーディオ信号を生成するレンダリング部をさらに備える
請求項１に記載の復号装置。
【請求項１３】
複数のチャネルまたは複数のオブジェクトの符号化されたオーディオ信号、および所定の時間における各前記オーディオ信号の優先度情報を取得し、
前記優先度情報に基づいて、前記優先度情報に応じた所定の数のチャネルまたはオブジェクトの前記符号化されたオーディオ信号を復号する
ステップを含む復号方法。
【請求項１４】
複数のチャネルまたは複数のオブジェクトの符号化されたオーディオ信号、および所定の時間における各前記オーディオ信号の優先度情報を取得し、
前記優先度情報に基づいて、前記優先度情報に応じた所定の数のチャネルまたはオブジェクトの前記符号化されたオーディオ信号を復号する
ステップを含む処理をコンピュータに実行させるプログラム。
【請求項１５】
複数のチャネルまたは複数のオブジェクトのオーディオ信号の所定の時間における優先度情報を生成する優先度情報生成部と、
前記優先度情報をビットストリームに格納するパッキング部と
を備える符号化装置。
【請求項１６】
前記優先度情報生成部は、前記オーディオ信号ごとに複数の前記優先度情報を生成する
請求項１５に記載の符号化装置。
【請求項１７】
前記優先度情報生成部は、符号化された前記オーディオ信号の復号側の計算能力に応じて、前記計算能力ごとに前記優先度情報を生成する
請求項１６に記載の符号化装置。
【請求項１８】
前記優先度情報生成部は、前記オーディオ信号の音圧またはスペクトル形状に基づいて前記優先度情報を生成する
請求項１５乃至請求項１７の何れか一項に記載の符号化装置。
【請求項１９】
前記複数のチャネルまたは前記複数のオブジェクトのオーディオ信号を符号化する符号化部をさらに備え、
前記パッキング部は、前記優先度情報と符号化された前記オーディオ信号とを前記ビットストリームに格納する
請求項１５乃至請求項１８の何れか一項に記載の符号化装置。
【請求項２０】
複数のチャネルまたは複数のオブジェクトのオーディオ信号の所定の時間における優先度情報を生成し、
前記優先度情報をビットストリームに格納する
ステップを含む符号化方法。
【請求項２１】
複数のチャネルまたは複数のオブジェクトのオーディオ信号の所定の時間における優先度情報を生成し、
前記優先度情報をビットストリームに格納する
ステップを含む処理をコンピュータに実行させるプログラム。
【手続補正２】
【補正対象書類名】明細書
【補正対象項目名】０４２０
【補正方法】変更
【補正の内容】
【０４２０】
１１  符号化装置，  ２１  チャネルオーディオ符号化部，  ２２  オブジェクトオーディオ符号化部，  ２３  メタデータ入力部，  ２４  パッキング部，  ５１  符号化部，  ５２  優先度情報生成部，  ６１  MDCT部，  ９１  符号化部，  ９２  優先度情報生成部，  １０１  MDCT部，  １５１  復号装置，  １６１  アンパッキング／復号部，  １６２  レンダリング部，  １６３  ミキシング部，  １９１  優先度情報取得部，  １９３  チャネルオーディオ信号復号部，  １９４  出力選択部，  １９６  IMDCT部，  １９８  オブジェクトオーディオ信号復号部，  １９９  出力選択部，  ２０１  IMDCT部，  ２３１  優先度情報生成部，  ２３２  優先度情報生成部，  ２７１  オーバーラップ加算部，  ２７２  ゲイン調整部，  ２７３  SBR処理部，  ２７４  オーバーラップ加算部，  ２７５  ゲイン調整部，  ２７６  SBR処理部